(57)【要約】【課題】ハンドヘルド式の保温容器として使用でき、内容物の温度を利用して温熱マッサージを行うこともできる、保温容器熱応用装置を提供すること。【解決手段】筒状の容器本体１と、着脱式キャップ２０と、断熱包囲体４を含み、容器本体１は、一端に容器開口部２が設けられ、底部になだらかな表面を有するマッサージ器構造部３２が設置され、マッサージ器構造部３２を下にして立設可能であり、着脱式キャップ２０は、断熱効果を備え、容器開口部２を開閉し、断熱包囲体４は、容器本体１の側壁外表面を被覆する。【選択図】図１
0003203247.tif 000002
【実用新案登録請求の範囲】
【請求項１】
温熱マッサージに利用できるハンドヘルド式の保温容器熱応用装置であって、筒状の容器本体と、着脱式キャップと、断熱包囲体を含み、
前記容器本体は、一端に容器開口部が設けられ、底部になだらかな表面を有するマッサージ器構造部が設置され、前記マッサージ器構造部を下にして立設可能であり、
前記着脱式キャップは、断熱効果を備え、前記容器開口部を開閉し、
前記断熱包囲体は、前記容器本体の側壁外表面を被覆する、
ことを特徴とする、保温容器熱応用装置。
【請求項２】
前記マッサージ器構造部が、複数のマッサージ突起を前記容器本体の底部外表面に分布させて成ることを特徴とする、請求項１に記載の保温容器熱応用装置。
【請求項３】
前記マッサージ器構造部が、前記容器本体の底部外表面に周方向に沿って突設された環状かっさ口より成ることを特徴とする、請求項１に記載の保温容器熱応用装置。
【請求項４】
前記マッサージ器構造部が、複数の長く延びた指圧用突起を前記容器本体の底部外表面に分布させて成ることを特徴とする、請求項１に記載の保温容器熱応用装置。
【請求項５】
前記マッサージ器構造部の外囲に、滑り止め機能を備えた底部カバーが被着されたことを特徴とする、請求項１に記載の保温容器熱応用装置。
【請求項６】
前記容器本体がセラミック材料で成ることを特徴とする、請求項１に記載の保温容器熱応用装置。
【請求項７】
前記容器本体と前記マッサージ器構造部が一体成型で成ることを特徴とする、請求項６に記載の保温容器熱応用装置。
【請求項８】
前記容器本体の側壁外表面が交互に形成された複数の凸体と凹部で成り、その外面が断熱包囲体で被覆されて、凹部の空間に気体断熱空間が形成されたことを特徴とする、請求項１に記載の保温容器熱応用装置。
【請求項９】
前記着脱式キャップの上面に軟質パッドが設置され、前記軟質パッドの内側が前記容器本体の容器空間に連通されたことを特徴とする、請求項１に記載の保温容器熱応用装置。
【請求項１０】
前記容器本体が円筒形であり、中間部に小径の狭窄部が設けられたことを特徴とする、請求項１に記載の保温容器熱応用装置。
【考案の詳細な説明】
【技術分野】
【０００１】
本考案は、温熱または冷却マッサージに利用できる、ハンドヘルド式の飲料用保温容器熱応用装置に関する。
【背景技術】
【０００２】
飲料用の保温ボトルとしては、真空効果により内容物の温度を強制的に保つ真空保温ボトルが広く知られているが、これは、内層の容器と包囲体の間に真空部を有し、内容物の温度を保つ機能を備えている。
この種の保温ボトルの特性としては、数時間内であればお茶や水などの内容物の温度を入れたときの温度に近い状態で保つことができ、温度低下の曲線が緩やかである。このような保温ボトルは、長時間保温できるものの、その機能は単純に保温しかない。
【０００３】
また、マッサージ作用のある器材が種々知られているが、かっさマッサージ棒などはいずれも常温で使用されている。
あるいは、正温度係数セラミック抵抗器で、電熱機能による熱輻射波を外部に向けて発散し、マッサージの補助に用いるものもあるが、現在市販されている容器またはマッサージ器材はいずれも単独の機能を備えているのみである。
【考案の概要】
【考案が解決しようとする課題】
【０００４】
本考案が解決しようとする課題は、上述の問題を解決し、ハンドヘルド式の保温容器として使用でき、内容物の温度を利用して温熱マッサージを行うこともできる、保温容器熱応用装置を提供することにある。
【課題を解決するための手段】
【０００５】
本考案は、温熱マッサージに利用できるハンドヘルド式の保温容器熱応用装置に関し、筒状の容器本体と、着脱式キャップと、断熱包囲体を含み、前記容器本体は、一端に容器開口部が設けられ、底部になだらかな表面を有するマッサージ器構造部が設置され、前記マッサージ器構造部を下にして立設可能であり、前記着脱式キャップは、断熱効果を備え、前記容器開口部を開閉し、前記断熱包囲体は、前記容器本体の側壁外表面を被覆する。
【０００６】
前記マッサージ器構造部は、複数のマッサージ突起を前記容器本体の底部外表面に分布させて成ることがある。
或いは、前記マッサージ器構造部は、前記容器本体の底部外表面に周方向に沿って突設された環状かっさ口としてもよい。
また、前記マッサージ器構造部は、複数の長く延びた指圧用突起を前記容器本体の底部外表面に分布させて成ることもある。
前記マッサージ器構造部の外囲に、滑り止め機能を備えた底部カバーが被着されてもよい。
【０００７】
前記容器本体はセラミック材料を素材とすることが望ましい。
この場合、前記容器本体と前記マッサージ器構造部は一体成型してもよい。
前記容器本体の側面外表面が交互に形成された複数の凸体と凹部で成り、その外面が断熱包囲体で被覆されて、凹部の空間に気体断熱空間が形成されることがある。
前記着脱式キャップの上面に軟質パッドが設置され、前記軟質パッドの内側が前記容器本体の容器空間に連通されてもよい。
前記容器本体が円筒形であり、中間部に小径の狭窄部を設けるとよい。
【考案の効果】
【０００８】
本考案の保温容器熱応用装置は、断熱包囲体で被覆された保温性のある飲料容器として利用することが可能であり、マッサージ器構造部を身体に押し当ててマッサージすることもできる。
また、容器本体の内部に熱い飲料或いは冷たい飲料を収容すると、断熱包囲体で被覆されていないマッサージ器構造部を介して熱が外部に伝達されるので、温熱又は冷却マッサージを行うことができる。
【図面の簡単な説明】
【０００９】
【図１】本考案の実施例１を示す保温容器熱応用装置の一部を破断した側面図である。
【図２】本考案の実施例２を示す保温容器熱応用装置の一部を破断した側面図である。
【図３】本考案の実施例３を示す保温容器熱応用装置の一部を破断した側面図である。
【図４】本考案の実施例４を示す保温容器熱応用装置の一部を破断した側面図である。
【図５】本考案の実施例５を示す保温容器熱応用装置の要部断面図である。
【考案を実施するための形態】
【００１０】
以下、本考案の実施例を図面に基づいて詳細に説明する。
図１は本考案の実施例１を示す。
実施例１のハンドヘルド式保温容器熱応用装置１０は、セラミック一体成型の容器本体１を含む。
容器本体１の上端部には容器開口部２が設けられ、容器開口部２に断熱効果を備えた着脱式キャップ２０が着脱自在に冠着される。容器本体１の内部空間は容器開口部２を通して外部に対して相通させることができ、着脱式キャップ２０を容器開口部２に冠着した後は密閉状態が形成される。また、容器本体１の側壁外表面を覆って断熱包囲体４が被着される。
【００１１】
容器本体１の底部は容器底部３１により封鎖され、容器底部３１と容器本体１は機械的強度を備えた構造となっており、容器本体１が容器底部３１に向けた外力を受けたとき、容器底部３１は構造を安全に維持し、力を完全に伝達することができる。
容器底部３１の部位は、外表面が断熱包囲体４で被覆されずに露出された状態の熱発散端３となっており、熱発散端３の底部には容器底部３１の外側表面を含めてマッサージ器構造部３２が連接される。実施例１において、マッサージ器構造部３２は、複数の面状または環状に分布したマッサージ突起３２１を突出させた状態で配置して構成される。マッサージ突起３２１の表面はなだらかに湾曲している。
【００１２】
容器本体１の内部には、着脱式キャップ２０の開閉により、お茶や水などの液体を入れることができ、これらお茶や水が熱いまたは冷たい時、容器本体１の外側表面を被覆する断熱包囲体４及び着脱式キャップ２０の断熱効果により、熱が容器本体１の本体から熱発散端３の一端へ向かい、かつマッサージ器構造部３２を介して外部に伝達される。
容器本体１内部に入れた液体が熱水の場合、熱が容器本体１または容器底部３１本体を経由して、熱平衡作用により熱発散端３に向けて伝達され、熱発散端３に設置されたマッサージ器構造部３２の表面に得られた熱が転嫁されて、人体の皮膚に対し温熱マッサージ作用を発揮させることができる。
【００１３】
容器本体１内部の液体の温度低下は、第一に着脱式キャップ２０と断熱包囲体４による断熱効果を受け、第二に熱発散端３からの熱発散速度による影響を受けるため、実際の使用時、容器本体１内部に高温の液体を入れると、熱発散端３がすぐに内部の温度を平衡しようと外部に向かって発散し、やけどを生じない状況で、温熱マッサージ治療を行うことができる。
また、容器本体１はセラミック材料で一体成型され、その熱伝動効率は金属より低いため、容器本体１の材料自体の断熱効果により、中に入れた熱水が沸騰に近い温度の場合でも、人の手が熱発散端３の表面に短時間接触した程度ではやけどをする恐れはない。
【００１４】
熱発散端３は、少なくともマッサージ器構造部３２の表面がなだらかなので、マッサージ時に人体の皮膚を損傷することがない。また、マッサージ器構造部３２は複数のマッサージ突起３２１で構成され、複数のマッサージ突起３２１の凹凸間を利用して広い面積が構成されるため、熱発散端３が容器本体１内部の熱を大面積で発散でき、できる限り外部に向かって集中的に発散させる、顕著な放熱機能が得られる。
【００１５】
容器本体１に設けられた容器開口部２と着脱式キャップ２０の間は、螺合構造または弾性的な圧迫構造とすることができ、着脱式キャップ２０で容器開口部２を封鎖して気密状態が形成される。
断熱包囲体４は、シリコンなどの弾性材料とすることができ、発泡の層体構造としてもよく、断熱包囲体４の内部に微小な気泡が形成されて、断熱効果が高まり、また断熱包囲体４の表面に気泡による凹凸構造があれば、滑り止めの効果を得ることもできる。
【００１６】
マッサージ器構造部３２の外表面には遠赤外線転換材料を塗布することができる。遠赤外線転換材料はコーティング層とされ、熱発散端３全体またはマッサージ器構造部３２のみの外表面に塗布され、容器本体１内部から伝達される熱波、または遠赤外線に転換した放射波を人体の皮膚に作用させ、その波動エネルギーを利用して人体の皮膚の深層細胞に作用して、微小血管の血流をよくする効果を発揮することができる。
【００１７】
図２は、本考案の実施例２を示す。
実施例２では、実施例１と同様に、保温容器熱応用装置１０の容器本体１の外表面に設けられた断熱包囲体４及び着脱式キャップ２０が、その方向への熱の発散を阻んでいるため、内部温度が熱発散端３から放出される。
熱発散端３に設置されたマッサージ器構造部３２は、容器底部３１の下面にその円周に沿って突設された環状かっさ口３２２で構成される。環状かっさ口３２２は、かっさ操作に用いることができ、容器本体１内部に入れられた液体温度が高温のとき、熱発散端３の伝達作用により容器底部３１の外表面を経由して、または熱発散端３全体の外表面から熱放射波が発散され、前記熱放射波をマッサージ器構造部３２の環状かっさ口３２２に提供し、かっさの操作を行うとき、血液分子の活性化を促進し、血液の滞りの解消に顕著な補助効果を発揮することができる。
【００１８】
図３は、本考案の実施例３を示す。
実施例３において、保温容器装置１０は、上端部が容器開口部２及び着脱式キャップ２０で構成され、下端部が熱発散端３とマッサージ器構造部３２で構成されている。
保温容器装置１０の上下両端の外形構造は対称の形状であり、マッサージ器構造部３２及び熱発散端３本体の外囲に底部カバー５を被着できるようになっている。底部カバー５は弾性体であるため、滑り止め効果を備え、底部カバー５を熱発散端３の外囲に被着して飲料用のカップとして使用することができる。また、底部カバー５は断熱効果を備えており、着脱式キャップ２０及び容器開口部２の外囲に被せると、着脱式キャップ２０の断熱効率を補助し、内部の温度を熱発散端３放出させやすくなる。
さらに、熱発散端３に設けられたマッサージ器構造部３２は、長く延びた指圧用突起３２３とする。指圧用突起３２３は環状に熱発散端３の底部に分布させて形成することができる。また、指圧用突起３２３は斜め方向に延ばしてもよく、指先状を模擬して指圧作用を提供することもできる。
【００１９】
図４は、本考案の実施例４を示す。
保温容器装置１０は、容器本体１上端部の容器開口部２を開閉する着脱式キャップ２０の上面中央に軟質パッド２００が設置される。着脱式キャップ２０で容器開口部２を閉じると、軟質パッド２００の内部は容器本体１の内部空間に連通される。
容器本体１に高温の液体を入れた場合、軟質パッド２００の内側表面が熱気に接触して、熱が軟質パッド２００から外部に向かって放出され、軟質パッド２００の表面を人体の皮膚に接触させて温熱作用を発揮させ、使用することができる。一方、容器本体１内部に入れた液体が冷たい場合、軟質パッド２００の外側表面に冷却作用を発揮させ、使用することができる。
【００２０】
また、容器本体１は、その側壁外表面が工合に形成された複数の凸体１１と凹部１２で構成され、さらにその外面全体が断熱包囲体４により被覆され、断熱包囲体４の内面と凹部１２との間に気体断熱空間４０が形成される。気体断熱空間４０を利用して断熱性を高め、容器本体１の側面方向への熱発散が気体断熱空間４０により阻まれるため、熱をできるかぎり熱発散端３の方向に向けて放出させることができ、指向性がより明確な熱平衡経路が形成される。
【００２１】
なお、容器本体１はハンドヘルド式のボトル状、またはカップ状とすることができ、基本的には円筒の形状であり、中間部が狭窄されている。
保温容器熱応用装置１０を手で持って熱発散端３の方向に押し付けると、狭窄された部位の斜面に分力が作用し、熱発散端３がより力を受け易く、その押圧力をマッサージする皮膚に伝達することができる。
【００２２】
図５は、本考案の実施例５を示す。
容器本体１の側壁外表面は、複数の凸体１１と凹部１２により共同で構成されており、さらにその外面が断熱包囲体４で被覆されて、気体断熱空間４０が形成され、気体断熱空間４０によって容器本体１内部に対する断熱効果が高められる。
凸体１１の頂部は断熱包囲体４の層体を介して突出しており、マッサージを実施するとき、凸体１１が皮膚のマッサージに点圧式の指圧効果を発揮する。このような構造は、点状のローラー押圧マッサージに使用でき、体の平らな部分や大きい大腿部または腕などのマッサージに適用することができる。
圧力の作用により、断熱包囲体４の層体構造の組織が圧縮されるため、凸体１１及び断熱包囲体４が圧縮された点状の局部を通じて、熱が速やかに外部へと伝達され、断熱包囲体４の表面は、凸体１１に相当する位置の表面温度が、気体断熱空間４０部分の表面温度より高くなり、熱が迅速に伝達される。
【００２３】
飲料容器を利用して、断熱されていない端部を介して迅速に熱平衡させ、容器本体１内部の温度を指向的に発散させることができ、容器本体１の外表面が断熱包囲体４により被覆されていることで、その内部の液体の温度を保持することができ、この保温過程を温熱マッサージの温度に転用し、保温容器装置１０に熱を持つ液体を入れた初期の時間、熱が完全に消散してしまうまで、内部の熱を利用して熱発散端３に転嫁し、マッサージの温度補助としたり、あるいは軟質パッド２００を備えた着脱式キャップ２０を利用して温熱作用を発揮させたりすることができる。
保温容器装置１０にはマッサージ器構造部３２が設けられているため、一般的なマッサージ器として使用することができ、また容器本体１外側表面の凸体１１を利用して、点圧式のローラー押圧マッサージの操作に用いることもでき、全体として多機能な飲料容器となっている。
【符号の説明】
【００２４】
１        容器本体
１０      保温容器熱応用装置
１１      凸体
１２      凹部 
２        容器開口部
２０      着脱式キャップ
２００    軟質パッド
３        熱発散端
３１      容器底部
３２      マッサージ器構造部
３２１    マッサージ突起
３２２    環状かっさ口
３２３    指圧用突起
４        断熱包囲体 
４０      気体断熱空間
５        底部カバー
【図１】
0003203247.tif 000003
【図２】
0003203247.tif 000004
【図３】
0003203247.tif 000005
【図４】
0003203247.tif 000006
【図５】
0003203247.tif 000007